【事件の表示】
　平成　５年特許願第２５７６１０号「電子スチルカメラ及び画像データ処理方法」拒絶査定不服審判事件〔平成　７年　４月　７日出願公開、特開平　７−　９５５０７、請求項の数（２）〕について、次のとおり審決する。
【結　論】
　原査定を取り消す。
　本願の発明は、特許すべきものとする。
【理　由】
１．経緯
（１）手続
　本願は、平成５年９月２０日の出願である。
（２）査定
　原査定の理由は、概略、下記のとおりである。
　　　　　記（査定の理由）
　本願各発明（請求項１および請求項２に係る各発明）は、下記刊行物に記載された各発明及び周知技術に基づいて当業者が容易に発明をすることができたものであるから、特許法第２９条第２項の規定により、特許を受けることができない。
　　　　　記
　刊行物１：特開平５−４９０００号公報
　刊行物２：特開平３−２５０９８７号公報
　刊行物３：特開平４−２３９２７９号公報（周知技術、査定で引用）
　
２．本願発明
　その請求項１から請求項４までに係る各発明（本願各発明という）は、本願明細書および図面（平成１５年６月１０日付け、および平成１６年３月２２日付けの各手続補正書により補正された明細書および図面）の記載からみて、それぞれ、その特許請求の範囲の請求項１から請求項４までに記載した下記のとおりのものである。
　　　　　記（特許請求の範囲の記載）
　【請求項１】　光学系を介して得られる被写体の画像を撮像して撮像結果を出力する撮像素子と、
　上記撮像結果を上記画像の画像データに変換する画像データ処理回路と、
　複数枚分の上記画像データを蓄積する容量を有し、当該画像データを順次取り込んで一時格納するバツフアメモリと、
　外部操作に応じて指定された動作モードに対応して、上記バツフアメモリを用いた上記画像データの出力形式を選択する選択手段と、
　上記選択手段により第１の出力形式が選択された場合には、上記バツフアメモリに蓄積された上記画像データを順次読み出してそのまま出力する一方、上記選択手段により第２の出力形式が選択された場合には、上記バツフアメモリに上記画像データを順次取り込む間に、当該バツフアメモリから以前に蓄積された上記画像データを順次読み出して圧縮を含む処理を行つた後に出力する画像処理回路と
　を具えることを特徴とする電子スチルカメラ。
　【請求項２】　外部機器との間で上記画像データを入出力するためのインターフエース
　を具え、
　上記画像処理回路は、
　上記第２の出力形式が選択された際、上記外部機器への上記画像データの記録が完了するタイミングで、上記バツフアメモリから次の上記画像データを読み出して上記圧縮を含む処理を行う
　ことを特徴とする請求項１に記載の電子スチルカメラ。
　【請求項３】　被写体の画像を撮像して得られる撮像結果を画像データに変換する第１のステツプと、
　上記画像データを順次取り込んでバツフアメモリに一時格納する第２のステツプと、
　外部操作に応じて指定された動作モードに対応して、上記バツフアメモリを用いた上記画像データの出力形式を選択する第３のステツプと、
　第１の出力形式が選択された場合には、上記バツフアメモリに蓄積された上記画像データを順次読み出してそのまま出力する一方、第２の出力形式が選択された場合には、上記バツフアメモリに上記画像データを順次取り込む間に、当該バツフアメモリから以前に蓄積された上記画像データを順次読み出して圧縮を含む処理を行つた後に出力する第４のステツプと
　を具えることを特徴とする画像データ処理方法。
　【請求項４】　上記第２の出力形式が選択された際、上記外部機器への上記画像データの記録が完了するタイミングで、上記バツフアメモリから次の上記画像データを読み出して上記圧縮を含む処理を行う第５のステツプ
　を具えることを特徴とする請求項３に記載の画像データ処理方法。
　
３．査定の検討
（１）本願各発明について
　（ａ）査定で引用された上記刊行物のいずれにも、本願各発明が備える下記の構成（主要構成）は記載されていない。
　　　　　記（本願各発明が備える主要構成）
　動作モードに対応して出力形式を選択するとともに、第１の出力形式が選択された場合には、バツフアメモリに蓄積された画像データを順次読み出してそのまま出力する一方、第２の出力形式が選択された場合には、バツフアメモリに画像データを順次取り込む間に、当該バツフアメモリから以前に蓄積された画像データを順次読み出して圧縮を含む処理を行つた後に出力すること
　（ｂ）そして、本願各発明は、上記主要構成を備えることにより、「【発明の効果】　上述のように本発明によれば、被写体の画像を撮像して得られる撮像結果を画像データに変換した後、当該画像データを順次取り込んでバツフアメモリに一時格納しておき、ユーザが所望する動作モードに応じて、バツフアメモリに蓄積された画像データを順次読み出してそのまま出力するか、又はバツフアメモリに画像データを順次取り込む間に、当該バツフアメモリから以前に蓄積された画像データを順次読み出して圧縮を含む処理を行つた後に出力するかを選択することができ、この結果、圧縮処理をする場合には当該圧縮処理に要する時間を効率良く解消しながら多くの枚数の画像を連写することができ、かくして大容量の記録手段を接続して連写することができる電子スチルカメラ及び画像データ処理方法を実現できる。」（段落0050）との効果を奏するものである。
　（ｃ）以上によれば、本願各発明は上記刊行物に記載された発明および周知技術に基づいて当業者が容易に発明をすることができたものである、とすることはできない。
（２）以下、上記刊行物の記載について検討しておく。
　（ａ）刊行物１には、「複数の記録媒体が着脱可能で撮像素子より出力された画像信号を圧縮処理して記録する電子カメラであって、前記複数の記録媒体よりバッファ用メモリとして用いる記録媒体を選択する選択手段とを有し、連写撮影時、圧縮処理を行わずに画像信号を前記バッファ用メモリに記録し、連写終了後に前記バッファ用メモリから前記画像信号を読み出し圧縮処理して、他の記録媒体へ記録することを特徴とする電子カメラ。」（請求項５）と記載されている。
　（ａ１）上記記載によれば、刊行物１には、連写撮影時にバッファ用メモリに画像信号を一旦記録し、連写終了後に読み出して圧縮処理して他の記録媒体へ記録することが記載されている。
　（ａ２）しかし、バッファ用メモリから読み出してそのまま出力すること（第１の出力形式）については記載がない。刊行物１の上記出力形式に加えさらに「第１の出力形式」を付加した上で、しかも動作モードに対応して２つの出力形式を選択可能とすることについて動機を欠いている。
　（ａ３）また、刊行物１の上記出力形式は、連写撮影時に一旦記録した画像信号を連写終了後に読み出すもので、「画像データを順次取り込む間に、以前に蓄積された画像データを順次読み出す」（出力形式２）ものでもない。
　（ａ４）これにつき査定は、「画像データを順次取り込む間に、以前に蓄積された画像データを順次読み出す」（出力形式２）は周知技術であるとして刊行物３を引用する。
　刊行物３には、連写により得た画像データをバッファ記憶手段（デュアルポートメモリを用いる）に記憶することが記載されている（２頁左欄、図２）。すなわち、デュアルポートメモリは、その書込速度と読出速度が異なるメモリであることから、「画像データを順次取り込む間に、以前に蓄積された画像データを順次読み出す」（出力形式２）ことを示唆することが認められる。
　しかし刊行物３の開示は、専ら、画像データを圧縮符号化した後にバッファ記憶手段に記憶するものであるから、「バッファメモリから以前に蓄積された画像データを順次読み出して圧縮する」を採用する本願各発明とはその前提において相違する。したがって、かかる開示を周知例として刊行物１の上記出力形式に適用することはできず、本願各発明にいう「第２の出力形式」に至るものではない。
　（ｂ）刊行物２には、バッファメモリから読み出した画像データに対して圧縮処理を行う旨の記載はない。
　（ｃ）前置報告書は、「単写モードの際に圧縮を行わずに記録媒体に記録する技術」は公報（特開平３−１６８１号）に記載されていると報告する。
　同公報には、フレームメモリ２６から読み出された信号を、モード（コマ取り、連写）に対応して「無圧縮器及び複数の圧縮器から選択利用して異なる圧縮処理を行」（４頁左上欄１行〜２行）った後、外部メモリパック５４に記録することが記載されている。
　しかし、同公報の技術は、「画面単位に一時記憶するメモリ」（１頁右下欄19行、第１図）、「連続記録のための専用メモリは必要なくなる」（２頁左上欄９行〜10行）とあるように画面単位での処理を前提とするものであり、フレームメモリ２６を本願各発明にいう「複数枚分の画像データを蓄積する容量を有し、画像データを順次取り込んで一時格納するバッファメモリ」に置き換える動機を欠いている。仮に、置き換えたとしても、「画像データを順次取り込む間に、以前に蓄積された画像データを順次読み出す」（出力形式２）にまで至ることはできないことは、前記のとおりである。
　（ｅ）そうすると、本願各発明の上記主要構成が上記刊行物等から当業者に想到容易なものであるとは言えない。
　
４．むすび
　以上、本願各発明は特許法第２９条第２項の規定により特許を受けることができないとする原査定の理由によっては、本願を拒絶することはできない。
　また、他に本願を拒絶すべき理由を発見しない。
　よって、結論のとおり審決する。